(57)【要約】【課題】  走行停止用の補助レバーを運転部の前部に備え、かつ、走行機体の前部横外側に苗を複数段に載置収容する予備苗のせ台を配備した乗用型田植機において、地上に降りての運転を容易に行えるとともに、畦から予備苗のせ台への苗供給、および、予備苗のせ台から後方の苗のせ台への苗移載を容易に行うことができるようにする。【解決手段】  走行停止用の補助レバー７９を運転部の前部に備え、かつ、走行機体３の前部横外側に苗を複数段に載置収容する予備苗のせ台８を配備した乗用型田植機において、予備苗のせ台８に装備された複数の苗受け体２６を、上下複数段に配備された第１形態と、複数の苗受け体２６を前後直列に並べた第２形態とに苗受け形態を切換え可能に構成してある。【選択図】        図１９
2008072933.tif 000002
【特許請求の範囲】
【請求項１】
走行停止用の補助レバーを運転部の前部に備え、かつ、走行機体の前部横外側に苗を複数段に載置収容する予備苗のせ台を配備した乗用型田植機において、
前記予備苗のせ台に装備された複数の苗受け体を、上下複数段に配備された第１形態と、複数の苗受け体を前後直列に並べた第２形態とに苗受け形態を切換え可能に構成してあることを特徴とする乗用型田植機。
【請求項２】
前記補助レバーを、運転部の足元前部に設けられた走行停止用のペダルから機体前方に向けて延出してある請求項１記載の乗用型田植機。
【請求項３】
最下段の苗受け体を、その上段の苗受け体の後端に連結可能に構成してある請求項１又は２記載の乗用型田植機。
【発明の詳細な説明】
【技術分野】
【０００１】
本発明は、走行停止用の補助レバーを運転部の前部に備え、かつ、走行機体の前部横外側に苗を複数段に載置収容する予備苗のせ台を配備した乗用型田植機に関する。
【背景技術】
【０００２】
補助レバーを備えた上記乗用型田植機は、畦の乗越えや急な斜面での移動などにおいて、運転作業者が地上に降りて微速で走行機体を自走させ、必要に応じて地上の運転作業者が補助レバーを揺動操作して走行機体を停止させることができるものであるが、走行機体の前部横外側に立設された予備苗のせ台が補助レバーの操作の邪魔になりがちであった。
【０００３】
そこで、図２１，２２に示すように、予備苗のせ台８の支柱２５を補助リンク２５ａと共に四連リンク構造にして前後に揺動可能に構成するとともに、支柱２５に備えたループ状の支持枠２５ｂに複数段に苗受け体２６を装着し、通常の植付け作業や移動走行においては、図２１中の実線、および、図２２中の上部に示すように、予備苗のせ台８を直立姿勢にする。地上に降りて自走させる場合には、図２１中の仮想線、および、図２２中の下部に示すように、予備苗のせ台８を後方に傾斜移動させた姿勢にして、走行停止用のペダル７５から前方に延出された補助レバー７９を露出させ、補助レバー７９を走行機体３の斜め前方などから予備苗のせ台８に邪魔されることなく操作できるよう構成したものが開発されている（例えば、特許文献１参照）。
【特許文献１】特開２００５−９５０４６号公報
【発明の開示】
【発明が解決しようとする課題】
【０００４】
図２１および図２２に示すように、予備苗のせ台８を前後に揺動可能に構成した上記構造は、上記のように、地上からの運転に便利であるばかりでなく、畦からの苗補給を行うのに便利なものとなっている。つまり、畦から予備苗のせ台８へ苗供給を行う際には、予備苗のせ台８を前方に揺動することで畦に近づけ、畦に居る作業者が予備苗のせ台８の各段の苗受け体２６へ苗を容易に載置することができる。苗補給された予備苗のせ台８を後方に揺動することで運転部に居る運転作業者に近づけることができ、運転作業者は近づけられた予備苗のせ台８から苗を容易に取り出して、機体後部に連結された苗植付け装置の苗のせ台に移載することができる。
【０００５】
このように、予備苗のせ台８を前後に揺動可能に構成した上記構造は、畦から予備苗のせ台８への苗供給、および、予備苗のせ台８から苗のせ台への苗移載に便利に使用することができるのであるが、植付け作業を開始する前に空の苗のせ台へ苗を満載する作業には未だ不便さが残るものであった。つまり、空の苗のせ台へ苗を装填する場合、先ず、予備苗のせ台８を前方に張り出し移動させて、ここに畦から苗を供給する。次いで、予備苗のせ台８を後方に移動させ、予備苗のせ台８に収容された苗を取り出して苗のせ台に移載する。
【０００６】
近年の乗用型田植機において、苗植付け装置に備えた苗のせ台は、苗搭載枚数を多くするために全長を長くしたり、延長苗のせ板を装備する、等して、１条に対して２枚の苗（マット苗）を縦列載置できるよう構成されたものが多い。例えば、６条植え仕様の乗用型田植機においては、当初、苗のせ台に１６枚の苗を載置することができるようになっている。しかし、６条植え仕様の乗用型田植機では、予備苗のせ台８の強度、機体の重量バランスや安定性、等を考慮して、３段積みの予備苗のせ台８を機体前部の左右に備えることが多く、この予備苗のせ台８に収容できる苗の枚数は６枚となっている。従って、予備苗のせ台８の全ての苗受け体２６に苗を供給しただけでは苗植付け装置の苗のせ台を満載状態にすることができず、予備苗のせ台８の苗を全て後方の苗のせ台に移載した後、予備苗のせ台８をもう一度前方に切換え揺動して畦からの苗供給を受け、満載した予備苗のせ台８を再び後方に移動させる必要があり、苗植付け装置の苗のせ台に苗を満載するためには予備苗のせ台８を２回前後に切換え揺動させることになって、煩わしく、かつ、時間のかかる作業となるものであった。
【０００７】
本発明は、このような点に着目してなされたものであって、地上に降りての運転を容易に行えるとともに、畦から予備苗のせ台への苗供給、および、予備苗のせ台から後方の苗のせ台への苗移載を容易に行うことができる乗用型田植機を提供することを目的としている。
【課題を解決するための手段】
【０００８】
第１の発明は、走行停止用の補助レバーを運転部の前部に備え、かつ、走行機体の前部横外側に苗を複数段に載置収容する予備苗のせ台を配備した乗用型田植機において、
前記予備苗のせ台に装備された複数の苗受け体を、上下複数段に配備された第１形態と、複数の苗受け体を前後直列に並べた第２形態とに苗受け形態を切換え可能に構成してあることを特徴とする。
【０００９】
上記構成によると、植付け作業の当初は、圃場に乗り入れた走行機体を、機体前端をできるだけ畦に近づく位置まで寄せる。次に、予備苗のせ台における複数の苗受け体を前後直列に並べられて機体前方に延出された第２形態に切換える。畦の作業者は前後直列に並べられた苗受け体の前部から苗を載置供給して、縦列状に順次後方に押し動かす。走行機体に搭乗している運転作業者は、最後部の苗受け体に到達した苗を順次取り出して後方の苗のせ台に移載する。
【００１０】
苗植付け装置の苗のせ台に苗が満載されると、苗受け体を第１形態に戻して苗を段積み収容した状態にして各苗受け体に予備の苗を載置収容するか、苗受け体を第２形態のままで予備の苗を前後縦列状に載置収容した状態で植付け作業に移る。
【００１１】
植付け作業に伴って苗のせ台の苗が消費されると適時、運転作業者は予備苗のせ台に収容された苗を取り出して苗のせ台に移載補充する。予備苗のせ台の苗が無くなるか、残り少なくなると、次に機体方向転換のために畦に近寄った際に、畦から予備苗のせ台への苗供給を行う。
【００１２】
高い畦の乗り越え移動、歩み板を用いてトラックに台へ機体を積み込む場合、など走行機体が大きく傾斜する走行に際しては、運転作業者が地上に降りて走行機体を微速で自走させることになるが、この場合、予備苗のせ台における苗受け体を前後直列に並べた第２形態に切換えることで、補助レバーの横外側方を開けて操作しやすくする。
【００１３】
従って、第１の発明によると、複数の苗受け体を第２形態に切換えることで、地上に降りての運転時に予備苗のせ台に邪魔されることなく補助レバーを容易に操作して走行停止を的確に行うことができるとともに、畦から予備苗のせ台への苗供給、および、予備苗のせ台から後方の苗のせ台への苗移載を容易に行うことができるようになった。
【００１４】
第２の発明は、上記第１の発明において、
前記補助レバーを、運転部の足元前部に設けられた走行停止用のペダルから機体前方に向けて延出してあるものである。
【００１５】
上記構成によると、走行停止用のペダルと別に専用の補助レバーを装備する場合に比べて走行停止構造を簡素化することができるとともに、補助レバーを、地上に降りた運転作業者にとって操作しやすい高さに配備することができる。
【００１６】
第３の発明は、上記第１又は第２の発明において、
最下段の苗受け体を、その上段の苗受け体の後端に連結可能に構成してあるものである。
【００１７】
上記構成によると、ステップ上の低い位置に設けられている補助レバーの操作の邪魔になる最下段の苗受け体を、その上段の苗受け体の後端に連結することで、機体前方に苗受け体を大きく突出させることなく補助レバーの横外側方を開けることができ、地上に降りた運転作業者が走行機体の側穂からでも補助レバーを容易に操作することができる。
【００１８】
従って、第３の発明によると、例えば、走行機体をトラックの荷台に歩み板を用いて積み込む際に運転作業車が走行機体から降りて運転する場合、機体前端より前方に苗受け体が突出することがない状態で走行させることができ、荷台の奥端の際まで自走させて停止させるような運転操作が行いやすいものとなる。
【発明を実施するための最良の形態】
【００１９】
図１に、本発明に係る予備苗収容構造を備えた施肥装置付き乗用型田植機の側面が、図２にその平面がそれぞれ示されている。この乗用型田植機は、前輪１と後輪２を備えた４輪駆動式の走行機体３の後部に、油圧シリンダ４で駆動される平行四連リンク構造のリンク機構５を介して苗植付け装置６が昇降自在に連結された基本構造を備え、走行機体３の後部に施肥装置７が搭載されるとともに、走行機体３の前部における左右両側に２組の予備苗のせ台８が立設装備されている。
【００２０】
走行機体３の前部には、エンジン９を収容した原動部１０が設けられるとともに、機体後部に運転座席１１が設けられ、運転座席１１の足元から原動部１０の左右両脇に亘ってたステップ１２が配備され、さらに、ステップ１２の左右横外側に、下方を透視可能なスノコ状に形成された拡張ステップ１３が備えられている。
【００２１】
苗植付け装置６は８条植え仕様に構成されており、８条分のマット状の苗を並列載置して一定ストロークで往復横移動される苗のせ台３５、苗のせ台３５の下端から１株分づつ苗を切り出して田面に押し込む８組の回転式植付け機構３６、田面の植付け箇所を均らす整地フロート３７、等を備えている。
【００２２】
施肥装置７は、運転座席１１の後方に配備された肥料ホッパ１８、肥料ホッパ１８に貯留された粒状肥料を所定量づつ繰出す回転式の繰出し機構１９、繰出された肥料を風力搬送するための電動ブロワ２０、風力搬送される肥料を整地フロート１７に備えた作溝器２１に導く供給ホース２２、等を備えており、各条の植付け苗の横側近くに作溝器２１で形成した施肥溝に肥料を送り込んで埋設するよう構成されている。
【００２３】
図１８に、この乗用型田植機の伝動系の概略が示されている。走行機体３の前部下方に配備されたミッションケース６１の側面に、前記エンジン９にベルト連動された主変速装置としての静油圧式の無段変速装置（ＨＳＴ）６２が連結され、その正逆転の無段変速出力がミッションケース６１に入力されて作業系と走行系とに分岐される。
【００２４】
ミッションケース６１内で分岐された作業系の動力のうち、正転動力のみがワンウエイ・クラッチ６３を介して株間変速機構６４に伝達され、ここで多段にギヤ変速された後、植付けクラッチ６５を経てＰＴＯ軸６６から機体後方向きに取出され、伝動軸６７および伸縮伝動軸６８を介して苗植付け装置６に伝達されるようになっている。
【００２５】
ミッションケース６１内で分岐された分岐された走行系の動力は、ギヤ式の副変速機構６９によって複数段に変速された後、前輪系と後輪系に分岐され、前輪系の動力はデフロック可能なデフ装置７０を介して左右の前輪１に伝達されるとともに、後輪系の動力は伝動軸７１を介して後部伝動ケース７２に伝達され、サイドクラッチ７３を介して左右の後輪２に伝達される。後部伝動ケース７２には走行停止用のブレーキ７４が装備されており、このブレーキ７４は、ステップ１２の右側足元に配備された走行停止用のペダル７５に機械的に連動連結されている。
【００２６】
前記無段変速装置６２は、ステアリングハンドル１４の左脇に、前進変速域および後進変速域に亘って前後揺動操作可能、かつ、任意の操作位置に摩擦保持可能に配備された主変速レバー７６にリンク連係されて任意に変速操作されるとともに、前記副変速機構６９は、運転座席１１の左横側に配備された副変速レバー７７によって任意の変速段に切換え操作されるようになっている。前輪１のデフ装置７０は、足元のデフロックペダル７８の踏み込みによってデフロックされて、左右の前輪１が等速で駆動されるようになっている。
【００２７】
詳細な構造は図示されていないが、前記ペダル７５は主変速レバー７６のリンク操作系に機械的に接当連係されており、ペダル７５を踏み込んでブレーキ７４を制動操作すると、任意の変速位置に保持されている主変速レバー７６が摩擦保持力に抗して強制的に中立に戻され、エンジン９を停止させることなく走行機体３が停止されるようになっている。
【００２８】
前記ペダル７５から前方に向けて補助レバー７９が機体前端近くまで延出され、地上の作業者が補助レバー７９を手動で押し下げ操作することによっても走行停止を行うことができるようになっている。この補助レバー７９の機体内側箇所には、押し下げられた補助レバー７９に係止することで、ペダル７５を踏み込み位置に保持しておくペダルロックレバー８０が横揺動可能に配備されており、走行機体３を駐車しておく際に利用される。
【００２９】
左右の各予備苗のせ台８は、マット状の苗Ｆが収容された４枚の育苗箱２４を積載できるよう構成されており、その詳細な構造を以下に説明する。
予備苗のせ台８は、ステップ１２の前部外側において走行機体３から立設された支柱２５と、この支柱２５の機体横外側に上下４段に配備された苗受け体２６とで構成されており、図１，２，５，６に示すように、全部の苗受け体２６が上下４段に配備された第１形態と、図３，４に示すように最上段を除く下方３段の苗受け体２６が前後直列に並べて機体前方に延出された第２形態とに切換え可能に構成されている。なお、以後の説明においては、図面との対比を容易にするために、最上段を除く上段、中段、下段の苗受け体２６にそれぞれ補助符号(u)，(m)，(d)を付す。
【００３０】
図５，６に示すように、最上段の苗受け体２６は、支柱２５の上部に支点ｐ周りに上下揺動可能に枢支連結されており、略水平姿勢で横外方に張り出された苗受け作用状態と、略鉛直に起立揺動した退避状態とに切換え可能となっている。
【００３１】
最上段の苗受け体２６および下方３段の苗受け体２６(u)，(m)，(d)は同一仕様に樹脂成型されたものが使用されており、図６，７，９に示すように、中空二重壁状に形成された上下に幅広い左右の側枠２６ａの間が、前後方向に向かう多数の縦リブ２６ｂに多数の横リブ２６ｃ斜めに交差させた格子状に構成されている。最上段の苗受け体２６を除く下方３段の苗受け体２６(u)，(m)，(d)においては、側枠２６ａの内方近くの前後方向３箇所に横軸心周りに遊転自在にローラ２８が配備されている。中段の苗受け体２６(m)が支柱２５から横外方に延出されたステー２９に連結固定されるのに対して、上段の苗受け体２６(u）および下段の苗受け体２６(d)は支柱２５に以下のようにして脱着自在に支持されている。
【００３２】
図８（イ），図１１に示すように、上段の苗受け体２６(u）および下段の苗受け体２６(d)の機体内側下方には丸パイプ材からなる前後に長い支持枠３０がボルト連結され、支持枠３０から上向きに突設された前後一対の連結金具３１が前後の支柱２５に脱着可能にピン連結されるようになっている。連結金具３１は支柱２５の横外方から外嵌可能な横断面形状コの字形に形成されるとともに、その上部にはダルマ孔状に形成された連結孔３２が備えられている。他方、支柱２５の横外面には前記連結金具３１における連結孔３２の大径部を挿通可能な頭付きピン３３が突設されている。
【００３３】
前後の連結金具３１を支柱２５に外嵌しながら連結孔３２を頭付きピン３３に挿通して押し下げることで、上段の苗受け体２６(u）および下段の苗受け体２６(d)を支柱２５に固定支持することができ、連結金具３１を押し上げて連結孔３２の大径部を頭付きピン３３から抜き外すことで、上段の苗受け体２６(u）および下段の苗受け体２６(d)を支柱２５から取外すことができるようになっている。
【００３４】
図１，１１に示すように、中段の苗受け体２６(m)の前端部および後端部に左右一対づつ連結金具３４，３５が上向きに突設されるとともに、上段の苗受け体２６(u）の後端部には左右一対の連結金具３６が上向きに突設され、下段の苗受け体２７(d)の前端部には左右一対の連結金具３７が上向きに突設されている。
【００３５】
図１３に示すように、前記連結金具３４，３５，３６，３７の各対のうち、一方は横向きの連結孔３８を備えた孔付き連結金具に構成されるとともに、他方は連結孔３８に挿通可能な連結ピン３９を備えたピン付き連結金具に構成されており、以後の説明においては、孔付きのものには補助符号(h)を付し、ピン付きのものには補助符号(p)を付すものとする。
【００３６】
孔付きの連結金具３４(h)，３５(h)，３６(h)，３７(h)が同形状に構成されるとともに、ピン付きの連結金具３４(p)，３５(p)，３６(p)，３７(p)が同形状に構成されている。
【００３７】
図３，１２に示すように、支柱２５から取外した上段の苗受け体２６(u）における左右の連結金具３６を中段の苗受け体２７(m)における左右の連結金具３４にピン連結することで、上段の苗受け体２６(u）を中段の苗受け体２７(m)の前端に連なった第２形態にし、支柱２５から取外した下段の苗受け体２６(d)における左右の連結金具３７を中段の苗受け体２７(m)における左右の連結金具３５にピン連結することで、下段の苗受け体２６(d)を中段の苗受け体２７(m)の後端に連なった第２形態にすることができる。
【００３８】
連結金具３４，３６における左右のピン連結構造、および、連結金具３５，３７における左右のピン連結構造は、左右および前後向き姿勢が違うだけで同仕様となっており、中段の苗受け体２６(m)と下段の苗受け体２６(d)との機体外側でのピン連結構造を代表として、図１５，１６に基づいて説明する。
【００３９】
ピン付きの連結金具３５(p)におけるピン枢支部の下方位置には接当部４０が折り出し形成されるとともに、この接当部４０から上向きに突出する係止突起４０ａが設けられ、他方、孔付きの連結金具３７(h)におけるピン枢支部の下方位置には接当部４１が折り出し形成されるとともに、下向きに突出する係止片４２が設けられている。
【００４０】
中段の苗受け体２６(m)における後端部でのピン連結状態において、ピン付きの連結金具３５(p)の接当部４０に孔付き連結金具３７(h)の接当部４１が受け止め支持されることで、下段の苗受け体２６(d）の荷重が中段の苗受け体２６(m)に支持される。中段の苗受け体２６(m)における前端部でのピン連結状態においても同様にして、上段の苗受け体２６(u）の荷重が中段の苗受け体２６(m)に支持される。
【００４１】
この第２形態においては、ピン付きの連結金具３５(p)の係止突起４０ａが、対応する孔付きの連結金具３７(h)の係止片４２にそれぞれ左右から係止されて、下段の苗受け体２６(d)が中段の苗受け体２７(m)に対してピン挿抜方向に横移動することが阻止されるようになっている。
【００４２】
孔付きの連結金具３７(h)の外周部には凹部ｃが切欠き形成されている。この凹部ｃは、苗受け体２６(d)がピン枢支点周りに上方に９０°以上振り上げ揺動された所定の揺動範囲にある時、係止突起４０ａと重複し、この状態で苗受け体２６(d)を横外方に動かすことで中段の苗受け体２６(m)から抜き外すことができるようになっている。つまり、下段（および上段）の苗受け体２６(d)は、第２形態における苗受け姿勢から外れた所定の姿勢に姿勢変更しないと中段の苗受け体２６(m)に対して脱着することができないように構成されているのである。
【００４３】
上記のように中段の苗受け体２６(m)の前後端に上段の苗受け体２６(u）と下段の苗受け体２６(d)とを直列状にピン連結した第２形態では、図３に示すように、上段の苗受け体２６(u）は中段の苗受け体２６(m)に対してやゝ前上がり傾斜姿勢に接当支持されるとともに、下段の苗受け体２６(d)は中段の苗受け体２６(m)に対してやゝ後上がり傾斜姿勢に接当支持されるようになっている。
【００４４】
このように、段積み状の第１形態と前後直列状の第２形態とに苗受け形態が切換え可能に構成された予備苗のせ台８は、例えば、次のように使用される。
【００４５】
植付け作業の当初は、圃場に乗り入れた走行機体３を、機体前端をできるだけ畦に近づく位置まで寄せる。次に、予備苗のせ台８における最上段の苗受け体２６を振り上げ揺動して退避状態に切換え保持し、下方３段の苗受け体２６(u)，(m)，(d)を前後直列に並べられて機体前方に延出された第２形態に切換える。
【００４６】
畦の作業者は前後直列に並べられた苗受け体２６(u)，(m)，(d)の前部から苗Ｆの入った育苗箱２４を載置供給して、縦列状に順次後方に押し動かす。走行機体３に搭乗している運転作業者は、最後部の苗受け体２６(d)に到達した育苗箱２４から苗Ｆを順次取り出して機体後方の苗のせ台１５に移載する。８状植え仕様の苗植付け装置６の苗のせ台１５の場合、１条あて２枚の苗Ｆが搭載可能であるので、全部で１６枚の苗Ｆの移載を行うことになる。
【００４７】
苗のせ台１５に苗Ｆが満載されると、苗受け体２６(u)，(m)，(d)を上下段積み状の第１形態に戻して予備苗を入れた８枚の育苗箱２４を段積み収容した状態、あるいは、第２形態のまま育苗箱２４を前後縦列状に載置収容した状態で植付け作業に移る。この場合、畦が低くて走行機体３の前端を畦の上に重複させるまで接近させることができる水田においては、予備苗のせ台８が第１形態でも畦から予備苗のせ台８への苗供給を容易に行うことができるが、走行機体３を畦に十分近く寄せることがむずかしい水田においては、予備苗のせ台８を第２形態にして植付け作業を行うとよい。
【００４８】
植付け作業に伴って苗のせ台１５の苗が消費されると、運転作業者は予備苗のせ台８に積載された育苗箱２４の苗Ｆを取り出して苗のせ台１５に移載補充する。予備苗のせ台８に積載した予備の苗が無くなるか、残り少なくなると、次に機体方向転換のために畦に近寄った際に、畦から予備苗のせ台８への苗供給を行う。
【００４９】
各苗受け体２６における縦リブ２６ｂの上端は横リブ２６ｃの上端より高く位置させて形成されるとともに、前記ローラ２８が縦リブ２６ｂより少し突出して装備され、上記第２形態において、前後直列に並べられた苗受け体２６に沿って苗を押し動かす際に、育苗箱２４が横リブ２６ｃに引っ掛かるようなことなく円滑に順送りすることができるようになっている。
【００５０】
４段の苗受け体２６は支柱２５に対してやや後下がり傾斜した姿勢で支持されるとともに、下方３段の苗受け体２６(u)，(m)，(d)を前後直列状の第２形態に切換えた状態において、中段の苗受け体２６(m)の前後に連結される苗受け体２６(u)，(d)は、その遊端側がやや上がった屈折姿勢で連結されており、苗受け体２６(u)，(m)，(d)の苗受け面全体が側面視において下方に凸の湾曲状となっている。田植機全体の前後重量バランスはやや後寄りとなっていて、圃場内では機体全体が多少後下がり傾斜するので、第２形態の苗受け体２６(u)，(m)，(d)における苗受け面は、最後部の苗受け体２６(d)が略水平、あるいは、僅かに後上がり傾斜姿勢となり、その前方の苗受け体２６(u)，(m)は前方ほど後下がり傾斜がきついものとなり、畦から供給される育苗箱２４の後方移動を円滑に行えるようになっている。
【００５１】
上段の苗受け体２６(u)の前端部、および、下段の苗受け体２６(d)の後端部には、丸棒材を屈曲形成してなるストッパ４３が装着固定されるとともに、中段の苗受け体２６(m)における左右の側枠２７ａの前後端部、上段の苗受け体２６(u)の後端部、および、下段の苗受け体２６(d)の前端部には、丸棒材をＵ形に屈曲形成してなる可動ストッパ４４が横スライド可能、かつ、回動可能に挿通支持されている。この可動ストッパ４４は、図８に示すように、外嵌装着したバネ４５によって外方にスライド付勢されており、その折返し部４４ａの先端を側枠２７ａに形成された上部係止孔４６に係合させることで、苗受け面より上方に突出した作用姿勢に保持され、折返し部４４ａの先端を側枠２７ａに形成された下部係止凹部４７に係合させるか、折り畳み回動しておくことで、苗受け面から退避した格納姿勢に保持されるようになっている。
【００５２】
苗を段積み収容する前記第１形態においては各苗受け体２６ごとに可動ストッパ４４を苗受け面上方に突出させることで、載置収容した育苗箱２４が前後にずり落ちるのをストッパ４３および可動ストッパ４４で受止め阻止する。育苗箱２４を前後方向に縦列移動させる前記第２形態においては、育苗箱２４の移動の妨げとなる苗受け体２７(m)における前後の可動ストッパ４４、最前部の苗受け体２７(u)における後方の可動ストッパ４４、および、最後部の受け体２７(d)における前方の可動ストッパ４４を格納姿勢に切換えておく。
【００５３】
機体前側の支柱２５の上部には支持ロッド４８が枢支連結されている。この支持ロッド４８は、段積み状の上記第１形態では、バネクランプ４９を介して支柱２５に沿った姿勢に保持されており、前後直列に並べられた第２形態において、最前方の苗受け体２６(u)における前方の連結金具３１の連結孔３２に、前方に振り出した支持ロッド４８の下端部が係止連結され、空になった苗受け体２６(u)が機体の動揺などによって不用意に大きく振り上がることが防止されている。なお、最後部の苗受け体２６(d)を上記と同様に振り上げ規制してもよいが、運転作業者が機体横方から乗降する際にこの苗受け体２６(d)を持上げ揺動することになるので、第２形態における最後部の苗受け体２６(d)を支持ロッド４８で連結支持しない方がむしろ使い勝手がよいものとなる。
【００５４】
上記構成の予備苗のせ台８は、苗供給時以外にも以下のよにその形態が切換えられる。
高い畦の乗り越え移動、歩み板を用いてトラックに台へ機体を積み込む場合、など走行機体３が大きく傾斜する走行に際しては、運転作業者が地上に降りて走行機体３を微速で自走させることになるが、この場合は、図１８，図１８に示すように、予備苗のせ台８における最下段の苗受け体２６(d)を支柱２５から取外して中段の苗受け体２６(m)の後端に連結するか、あるいは、取外した最下段の苗受け体２６(d)をステップ１２の上などに載置する、等して、補助レバー７９の横外側方を開け、地上の運転作業者が補助レバー７９に手が届きやすい状態にする。
【００５５】
〔他の実施例〕
（１）上記実施例では、走行停止用のペダル７５から補助レバー７９を延出した場合を例示しているが、走行停止用の専用の補助レバーを走行機体３の前部適所に設けて実施することもできる。
【００５６】
（２）本発明は、８条植え仕様の乗用型田植機のみならず、６条植え仕様あるいは４条植え仕様の乗用型田植機に適用することもできる。
【図面の簡単な説明】
【００５７】
【図１】乗用型田植機の全体側面図
【図２】乗用型田植機の全体平面図
【図３】第２形態にした予備苗のせ台を示す側面図
【図４】予備苗のせ台を第２形態にした乗用型田植機の全体平面図
【図５】第１形態にした機体左側の予備苗のせ台を示す正面図
【図６】第１形態にした機体右側の予備苗のせ台を示す正面図
【図７】中段の苗受け体の縦断側面図
【図８】上段および下段の苗受け体の支持構造を示す縦断正面図（イ）と中段の苗受け体の支持構造を示す縦断正面図（ロ）
【図９】苗受け体における苗ストッパ構造を示す縦断正面図
【図１０】苗受け体の縦断正面図
【図１１】第１形態の予備苗のせ台を示す側面図
【図１２】第２形態の予備苗のせ台を示す側面図
【図１３】第２形態における予備苗のせ台の分解状態を示す平面図
【図１４】第２形態における予備苗のせ台の連結状態を示す平面図
【図１５】苗受け体のピン連結構造を示す横断平面図
【図１６】苗受け体のピン連結構造を示す側面図
【図１７】苗受け体のピン連結構造を示す分解斜視図
【図１８】伝動系の概略を示すブロック図
【図１９】地上からの運転時における乗用型田植機の前部を示す右側面図
【図２０】地上からの運転時における乗用型田植機の前部を示す平面図
【図２１】従来の乗用型田植機の前部を示す右側面図
【図２２】従来の乗用型田植機の前部を示す平面図
【符号の説明】
【００５８】
３              走行機体
８              予備苗のせ台
２６            苗受け体
７５            ペダル
７９            補助レバー
Ｆ              苗
【図１】
2008072933.tif 000003
【図２】
2008072933.tif 000004
【図３】
2008072933.tif 000005
【図４】
2008072933.tif 000006
【図５】
2008072933.tif 000007
【図６】
2008072933.tif 000008
【図７】
2008072933.tif 000009
【図８】
2008072933.tif 000010
【図９】
2008072933.tif 000011
【図１０】
2008072933.tif 000012
【図１１】
2008072933.tif 000013
【図１２】
2008072933.tif 000014
【図１３】
2008072933.tif 000015
【図１４】
2008072933.tif 000016
【図１５】
2008072933.tif 000017
【図１６】
2008072933.tif 000018
【図１７】
2008072933.tif 000019
【図１８】
2008072933.tif 000020
【図１９】
2008072933.tif 000021
【図２０】
2008072933.tif 000022
【図２１】
2008072933.tif 000023
【図２２】
2008072933.tif 000024